(57)【要約】【課題】ウエブが破れることなく均一に塗工液が塗工でき、浸透させることができる塗工装置を提供する。【解決手段】上ロール１２と下ロール１４と、上ロール１２と下ロール１４に架け渡された無端状の透明な合成樹脂製よりなるエンドレスベルト１６と、エンドレスベルト１６に沿って走行する長尺状の布帛の近傍に設けられたダイ１８と、ダイ１８の先端にある塗工部３０の幅方向にスリット状に開口し、長尺状の布帛に塗工液を塗工する塗工口２８とを有する。【選択図】      図１
2018183762.tif 000002
【特許請求の範囲】
【請求項１】
複数のロールと、
複数の前記ロールに架け渡された無端状の合成樹脂よりなるエンドレスベルトと、
前記エンドレスベルトに沿って走行する長尺状のウエブの近傍に配されたダイと、
前記ダイの先端にある塗工部の幅方向にスリット状に開口し、前記ウエブに塗工液を塗工する塗工口と、
を有する塗工装置。
【請求項２】
前記ウエブは、不織布、又は、紙である、
請求項１に記載の塗工装置。
【請求項３】
前記エンドレスベルトは、透明な合成樹脂製である、
請求項１に記載の塗工装置。
【請求項４】
前記エンドレスベルトの表面は、撥水性を有する、
請求項１に記載の塗工装置。
【請求項５】
前記ダイの先端にある塗工部は、断面三角形、断面三角形の部分から断面長方形の突部がさらに突出した形状、又は、前記断面長方形の突部の先端に断面曲面形状が形成されたものである、
請求項１に記載の塗工装置。
【請求項６】
前記塗工部は、前記ウエブを前記エンドレスベルトに押圧している、
請求項５に記載の塗工装置。
【請求項７】
前記ダイの前記塗工部は、前記ロールと前記ロールの間に架け渡されている前記エンドレスベルトの位置に配されている、
請求項１に記載の塗工装置。
【請求項８】
前記ロールは、２個、又は、３個である、
請求項１に記載の塗工装置。
【請求項９】
請求項１に記載の塗工装置の塗工方法であって、
前記エンドレスベルトに沿って前記ウエブを走行させ、
前記塗工口から前記塗工液を液出しし、
前記塗工口を前記ウエブに接触させつつ前記塗工口を前記ウエブに押圧して前記塗工液を塗工する、
塗工装置の塗工方法。
【請求項１０】
前記エンドレスベルトは、透明な合成樹脂製であり、
前記エンドレスベルトの裏面から前記ウエブの裏面を透視し、
前記裏面の全面に前記塗工液が浸透するまで、前記ダイに供給する単位時間当たりの前記塗工液の供給量を増加させる、
請求項９に記載の塗工装置の塗工方法。
【発明の詳細な説明】
【技術分野】
【０００１】
本発明は、塗工装置及びその塗工方法に関するものである。
【背景技術】
【０００２】
不織布や紙などの長尺状のウエブに塗工液を塗工して、ウエブに浸透させる場合には、スプレーによって塗工液をウエブに吹き付けたり、液槽にウエブを浸けている。
【先行技術文献】
【特許文献】
【０００３】
【特許文献１】特開２０００−３０３３５６号公報
【特許文献２】特開２０１３−１５９８６１号公報
【発明の概要】
【発明が解決しようとする課題】
【０００４】
しかし、スプレーによって塗工液をウエブに噴射する方法であると、スプレーの位置によってウエブに浸透する量が異なるという問題点があった。
【０００５】
また、ウエブを液槽に浸けて塗工液を浸透させる場合には、ウエブが液槽の中で破れることがあるという問題点があった。
【０００６】
そこで本発明は上記問題点に鑑み、ウエブが均一かつ破れることなく、ウエブに塗工液を浸透させることができる塗工装置及びその塗工方法を提供することを目的とする。
【課題を解決するための手段】
【０００７】
本発明は、複数のロールと、複数の前記ロールに架け渡された無端状の合成樹脂よりなるエンドレスベルトと、前記エンドレスベルトに沿って走行する長尺状のウエブの近傍に配されたダイと、前記ダイの先端にある塗工部の幅方向にスリット状に開口し、前記ウエブに塗工液を塗工する塗工口と、を有する塗工装置である。
【０００８】
また、本発明は、上記発明の塗工装置の塗工方法であって、前記エンドレスベルトに沿って前記ウエブを走行させ、前記塗工口を前記ウエブに接触させつつ前記塗工口を前記ウエブに押圧して前記塗工液を塗工する、塗工装置の塗工方法である。
【発明の効果】
【０００９】
合成樹脂よりなるエンドレスベルトに沿って走行するウエブへダイによって塗工液を塗工するため、ウエブが均一にかつ破れることなく塗工液を浸透させることができる。
【図面の簡単な説明】
【００１０】
【図１】本発明の一実施形態を示す塗工装置の説明図である。
【図２】塗工部とウエブとエンドレスベルトの拡大縦断面図である。
【図３】ウエブの裏面の全面に塗工液が浸透していない状態であって、エンドレスベルトの裏面から見た図である。
【図４】ウエブの裏面の全面に塗工液が浸透している状態であって、エンドレスベルトの裏面から見た図である。
【図５】変更例１の塗工装置の説明図である。
【図６】変更例３のダイの塗工部の拡大横断面図である。
【図７】変更例４のダイの塗工部の拡大横断面図である。
【発明を実施するための形態】
【００１１】
以下、本発明の一実施形態の塗工装置１０について図１〜図４を参照して説明する。本実施形態の塗工装置１０は、布帛や紙などの破れ易い長尺状のウエブＷであって、液体を浸透させる装置である。
【００１２】
（１）塗工装置１０の構成
塗工装置１０の構成について図１を参照して説明する。上ロール１２と下ロール１４が上下方向に配されている。上ロール１２と下ロール１４の回転軸は水平方向であり、他動である。
【００１３】
上ロール１２と下ロール１４との間には、無端状のエンドレスベルト１６が架け渡されている。このエンドレスベルト１６は、透明な合成樹脂製のフィルムにより形成され、上ロール１２と下ロール１４との間においては、垂直方向に走行する。エンドレスベルト１６のウエブＷと接触する表面には、撥水処理が行われ撥水性を有している。
【００１４】
エンドレスベルト１６の側方にはダイ１８が配されている。ダイ１８は、上ダイブロック２０と下ダイブロック２２とが組み合わさったものであり、ダイ１８の先端は、断面三角形に形成されて塗工部３０となっており、その先端部に塗工口２８が形成されている。この塗工口２８は、ウエブＷの幅方向に沿ってスリット状に形成され、スリット状の塗工口２８は水平に配されている。下ダイブロック２２の上面には液溜め部２４が幅方向に沿って設けられている。液通路２６が、上ダイブロック２０と下ダイブロック２２とが組み合わさった位置に形成され、この液通路２６の基部は液溜め部２４に繋がり、先端には塗工口２８が形成されている。液溜め部２４の幅方向における中央には供給口３６が開口している。この供給口３６にはポンプ３２が接続され、ポンプ３２には塗工液を溜めたタンク３４が接続されている。ポンプ３２は、タンク３４からの塗工液を単位時間当たり一定量だけ液溜め部２４に供給する。
【００１５】
（２）塗工装置１０の塗工方法
上記構成の塗工装置１０を用いて、不織布又は紙などの破れ易いウエブＷに塗工液を塗工して、浸透させる塗工方法について図１〜図４を参照して説明する。
【００１６】
第１の工程において、図１に示すように、ダイ１８の塗工部３０をエンドレスベルト１６から離した状態で、エンドレスベルト１６の表面にウエブＷを配する。また、上ロール１２と下ロール１４の間にあるエンドレスベルト１６の側方にダイ１８を配置する。
【００１７】
第２工程において、ポンプ３２を駆動させ、タンク３４から液溜め部２４に塗工液を供給し、そして塗工口２８から液出しを行う。
【００１８】
第３工程において、図１に示すように、ウエブＷを一定の走行速度（例えば、１００ｍ／分）で走行させ、走行させた状態で、液出しをしている塗工部３０の塗工口２８をウエブＷに接触させる。そしてそのまま塗工部３０でウエブＷをエンドレスベルト１６の方向に押圧する。この場合に、図１に示すように、上ロール１２と下ロール１４の間にあるエンドレスベルト１６の途中で、塗工部３０によってウエブＷを押圧する。したがって、図２に示すように、合成樹脂製のエンドレスベルト１６は柔らかく、塗工部３０の押圧によってウエブＷと共に谷型に撓む。
【００１９】
第４工程において、図２に示すように、ダイ１８から供給された塗工液がウエブＷの表面から裏面に浸透する。また、塗工部３０によって、ウエブＷを押圧した分だけエンドレスベルト１６が図２に示すように谷型に撓むので、ウエブＷが破れない。そして、作業者は透明な合成樹脂製のエンドレスベルト１６の裏面からウエブＷの裏面を観察し、図４に示すようにウエブの裏面の全面に塗工液が浸透し、透明なエンドレスベルト１６の全面に浸透領域が広がっているか否かを確認する。もし、図３に示すように塗工液がウエブＷの裏面に一部浸透していない非浸透領域がある場合には、供給する塗工量が少ないと判断し、ポンプ３２の単位時間当たりの供給量を、図４に示すように、ウエブＷの裏面全面に塗工液が浸透するまで増加させる。そして、作業者は、ウエブＷの裏面の全面に塗工液が浸透した状態の供給量で維持して塗工を続ける。
【００２０】
第５工程において、図１に示すように、塗工液が浸透したウエブＷは、エンドレスベルト１６から離れて、次の乾燥工程などに移行させる。このウエブＷがエンドレスベルト１６を離れるときに、エンドレスベルト１６は上ロール１２に沿って回転すると共に、エンドレスベルト１６が撥水性であるため、塗工液が浸透したウエブＷが破れることなく、次の工程に走行させることができる。
【００２１】
（３）効果
本実施形態によれば、ダイ１８の塗工部３０をウエブＷに接触して押圧した状態で塗工できるため、ウエブＷの厚さが、不織布、紙などのように、不均一であっても確実に塗工でき、また、表面張力による不均一な塗工が発生しない。
【００２２】
また、塗工部３０をウエブＷに接触状態で塗工するため、塗工液に圧力が掛かり均一性が向上する。
【００２３】
また、必要量のみ塗工液を供給するため、塗工液に無駄が発生しない。
【００２４】
また、透明なエンドレスベルト１６の裏面からウエブＷの裏面の全体に塗工液が浸透したか否かが判別できるため、塗工液が浸透していない非浸透領域が発生しない。
【００２５】
また、ダイ１８の塗工部３０によってウエブＷを押圧しても、合成樹脂製のエンドレスベルト１６が撓み、ウエブＷが破れない。
【変更例】
【００２６】
上記実施形態の変更例について説明する。
【００２７】
（１）変更例１
上記実施形態では、上ロール１２と下ロール１４の２個のロールによってエンドレスベルト１６を架け渡したが、これに代えて図５に示すように中ロール３８を設け、３個の上ロール１２、中ロール３８、下ロール１４の間にエンドレスベルト１６を架け渡してもよい。
【００２８】
この場合には、上ロール１２と下ロール１４との間に架け渡されているエンドレスベルト１６の裏面が見易くなるため、より確実にウエブＷの裏面に塗工液が浸透したか否かを判別することができる。
【００２９】
（２）変更例２
上記実施形態では、エンドレスベルト１６が上下方向に走行している状態でその側方にダイ１８を配置したが、これに代えてエンドレスベルト１６が水平方向に走行しているときに、ダイ１８をエンドレスベルト１６の上方又は下方に配置して塗工液をウエブＷに塗工してもよい。
【００３０】
（３）変更例３
上記実施形態では、ダイ１８の先端は、断面三角形の塗工部３０であったが、これに代えて、図６に示すように、断面三角形の部分から断面長方形の突部４０がさらに突出した形状でもよい。
【００３１】
（４）変更例４
上記変更例３では、ダイ１８の塗工部３０は、断面三角形の部分から断面長方形の突部４０がさらに突出した形状であったが、これに代えて、図７に示すように、その断面長方形の突部の先端を断面曲面形状４２にしてもよい。
【００３２】
（５）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３３】
１０・・・塗工装置、１２・・・上ロール、１４・・・下ロール、１６・・・エンドレスベルト、１８・・・ダイ、２８・・・塗工口、３０・・・塗工部
【図１】
2018183762.tif 000003
【図２】
2018183762.tif 000004
【図３】
2018183762.tif 000005
【図４】
2018183762.tif 000006
【図５】
2018183762.tif 000007
【図６】
2018183762.tif 000008
【図７】
2018183762.tif 000009